(57)【要約】【課題】第１情報記録媒体に発生した傷等によって、第１情報記録媒体に記録されている情報を読み出すことができなく虞があった。また、第１情報記録媒体から情報を記録した第２情報記録媒体に発生した傷等によって、第２情報記録媒体に記録した情報を読み出すことができなくなる虞があり、情報を消失してしまうことがあった。【解決手段】第１情報記録媒体から第１欠陥セクタ数を検出し、第１欠陥セクタ数が前回検出した第１欠陥セクタ数より予め定められた値より増加した場合、第２情報記録媒体から第２欠陥セクタ数を検出する。検出した第２欠陥セクタ数が前回検出した第２欠陥セクタ数より予め定められた値より増加していないとき、第１情報記録媒体に記録された情報を第２情報記録媒体に記録する。【選択図】　図２
2004071122.tif 000002
【特許請求の範囲】
【請求項１】
第１情報記録媒体を備え且つ第１情報記録媒体に情報を記録する第１記録部と第２情報記録媒体を備え且つ第２情報記録媒体に情報を記録する第２記録部と第１情報記録媒体に記録された情報を第２情報記録媒体に記録するように前記第１記録部及び前記第２記録部を制御する制御部とを備えた情報記録装置において、第１情報記録媒体から第１欠陥セクタ数及び第２情報記録媒体から第２欠陥セクタ数を検出する検出部と、前記検出部が検出した第１欠陥セクタ数及び第２欠陥セクタ数を記憶する記憶部を備え、前記制御部は、前記検出部を制御し予め定められた時間毎に第１情報記録媒体から第１欠陥セクタ数を検出させ、前記検出部が新たに検出した第１欠陥セクタ数と前記記憶部に記憶されている第１欠陥セクタ数を比較し前記検出部が検出した第１欠陥セクタ数と前記記憶部に記憶されている第１欠陥セクタ数との差が予め定められた値以上の場合、前記制御部は、前記検出部を制御し第２情報記録媒体から第２欠陥セクタ数を検出させ、更に前記検出部が新たに検出した第２欠陥セクタ数と前記記憶部に記憶されている第２欠陥セクタ数を比較し前記検出部が検出した第２欠陥セクタ数と前記記憶部に記憶されている第２欠陥セクタ数との差が予め定められた値未満の場合、前記第１記録部及び前記第２記録部を制御し第１情報記録媒体に記録された情報を第２情報記録媒体に記録することを特徴とする情報記録装置。
【請求項２】
請求項１記載の情報記録装置において、
前記検出部が新たに検出した第１欠陥セクタ数又は第２欠陥セクタ数と前記記憶部に記憶されている第１欠陥セクタ数又は第２欠陥セクタ数との差がそれぞれ予め定められた値以上のとき、前記検出部が新たに検出した第１欠陥セクタ数又は第２欠陥セクタ数が予め定められた値以上であることを表示する表示部を備えることを特徴とする情報記録装置。
【請求項３】
第１情報記録媒体を備え且つ第１情報記録媒体に情報を記録する第１記録部と第２情報記録媒体を備え且つ第２情報記録媒体に情報を記録する第２記録部と第１情報記録媒体に記録された情報を第２情報記録媒体に記録するように前記第１記録部及び前記第２記録部を制御する制御部とを備えた情報記録装置において、第２情報記録媒体から第２欠陥セクタ数を検出する検出部と、前記検出部が検出した第２欠陥セクタ数を記憶する記憶部と、前記記録部が第１情報記録媒体に記録された情報を第２情報記録媒体に記録する制御を開始する時刻を設定する設定部を備え、前記制御部は、前記設定部が設定した時刻になったとき、前記検出部を制御し第２情報記録媒体から第２欠陥セクタ数を検出させ、前記検出部が新たに検出した第２欠陥セクタ数と前記記憶部に記憶されている第２欠陥セクタ数を比較し前記検出部が検出した第２欠陥セクタ数と前記記憶部に記憶されている第２欠陥セクタ数との差が予め定められた値未満の場合、前記第１記録部及び前記第２記録部を制御し第１情報記録媒体に記録された情報を第２情報記録媒体に記録することを特徴とする情報記録装置。
【請求項４】
第１情報記録媒体を備え且つ第１情報記録媒体に情報を記録する第１記録部と第２情報記録媒体を備え且つ第２情報記録媒体に情報を記録する第２記録部と第１情報記録媒体に記録された情報を第２情報記録媒体に記録するように前記第１記録部及び前記第２記録部を制御する制御部とを備えた情報記録装置において、第２情報記録媒体から第２欠陥セクタ数を検出する検出部と、前記検出部が検出した第２欠陥セクタ数を記憶する記憶部と、前記記録部が第１情報記録媒体に記録された情報を第２情報記録媒体に記録する制御を開始する時刻を設定する設定部を備え、前記制御部は、前記設定部が設定した時刻になったとき、前記検出部を制御し第２情報記録媒体から第２欠陥セクタ数を検出させ、前記検出部が新たに検出した第２欠陥セクタ数と前記記憶部に記憶されている第２欠陥セクタ数を比較し前記検出部が検出した第２欠陥セクタ数と前記記憶部に記憶されている第２欠陥セクタ数との差が予め定められた値以上の場合、前記第１記録部及び前記第２記録部を制御し第１情報記録媒体から第２情報記録媒体への情報の記録を中止することを特徴とする情報記録装置。
【請求項５】
請求項４に記載の情報記録装置において、
前記検出部が新たに検出した第２欠陥セクタ数と前記記憶部に記憶されている第２欠陥セクタ数との差が予め定められた値以上のとき、前記検出部が新たに検出した第２欠陥セクタ数が予め定められた値以上であることを表示する表示部を備えることを特徴とする情報記録装置。
【発明の詳細な説明】
【０００１】
【発明の属する技術分野】
本発明は、第１記録部と第２記録部を備え、第１記録部が備える第１情報記録媒体に記録された音声信号等の情報を第２記録部に挿入された第２情報記録媒体に記録することができる情報記録装置に関する。
【０００２】
【従来の技術】
従来、情報記録装置に入力された音声信号等の入力信号をハードディスク（ＨＤ：Ｈａｒｄ　Ｄｉｓｋ）等の第１情報記録媒体に記録し、ＨＤに記録された入力信号をデジタル　バーサタイル　ディスク−ランダム　アクセス　メモリ（ＤＶＤ−ＲＡＭ：Ｄｉｇｉｔａｌ　Ｖｅｒｓａｔｉｌｅ　Ｄｉｓｃ−Ｒａｎｄｏｍ　Ａｃｃｅｓｓ　Ｍｅｍｏｒｙ）等の光ディスクである第２情報記録媒体に記録する情報記録装置が知られている。
【０００３】
第１情報記録媒体であるＨＤは、情報を記録できる容量に制限があり、また、交換することができないＨＤが多く用いられている。このため、情報記録装置は、所定時間毎に第１情報記録媒体に記録された情報を第２情報記録媒体に記録をする。また、使用者が記録を指示する毎に第１情報記録媒体に記録された情報を第２情報記録媒体に記録をする。そして、第１記録装置は、新たに情報記録装置に入力された情報を第２情報記録媒体に記録した情報が記録されていた第１情報記録媒体の記録領域に上書をする。
【０００４】
このＨＤやＤＶＤ−ＲＡＭ等の情報記録媒体には、情報記録媒体の製造時等に発生する初期欠陥と、外部からの振動によるディスク表面の傷、書換の繰り返しによるディスクの劣化やディスク表面に付着した埃等によって発生する２次欠陥がある。
【０００５】
情報記録装置は、情報記録媒体をフォーマットするときに行うサーティファイ又は情報記録媒体に情報を記録した直後に行うベリファイにより欠陥のあるセクタを検出する。記録装置は、ベリファイにより検出した２次欠陥セクタの代替として、情報記録媒体に予め設けられている交替領域の交替セクタに情報を記録する。サーティファイ又はベリファイにより検出された欠陥セクタは、欠陥リストに登録される。この欠陥リストは、ＨＤの場合は、情報を記録する記録領域と異なる所定の領域に記録され、ＤＶＤ−ＲＡＭの場合は、記録領域の最内周側と最外周側に多重化して記録される。
【０００６】
情報記録装置は、情報記録媒体の２次欠陥を有するセクタにアクセスする度に交替領域の交替セクタへアクセスするので、２次欠陥によるセクタの交替処理が多いと記録された情報の転送レートが低下し、情報が映像やオーディオデータであってデータの連続性を維持できない場合は、ノイズが混入する問題があった。この問題を解決するために、特開平１０−１９９１１８号公報に開示されたデータ記録再生装置は、ハードディスクに発生した２次欠陥セクタ数が基準値を超えた否かを監視する監視手段を備え、２次欠陥セクタ数が基準値を超えたとき、ハードディスクドライブ（ＨＤＤ：Ｈａｒｄ　Ｄｉｃｋ　Ｄｒｉｖｅ）の交換を警告する警告手段を備えることによって、装置の信頼性を向上している。
【発明が解決しようとする課題】
【０００７】
しかし、特開平１０−１９９１１８号公報に開示されたデータ記録再生装置では、２次欠陥セクタ数が基準値を超える前に、セクタの交替処理を行うことができない欠陥（例えば、ＨＤのディスク表面の傷等）が発生する場合がある。この場合、ＨＤＤは、ＨＤに記録されているエラー訂正コードを用いても、ＨＤに記録された情報を修復して読み出すことができなくなる。このため、使用者が、ＨＤに記録された情報を別の情報記録媒体（例えば、ＤＶＤ−ＲＡＭ等の書換可能な光ディスク）に記録しようとしたときに、ＨＤから情報を読み出すことができず、ＨＤに記録された情報を消失してしまうことがあった。
【０００８】
また、上述したＨＤと同様に、ＤＶＤ−ＲＡＭ等のディスク表面に発生した傷等により、ＤＶＤ−ＲＡＭ等に記録した情報を読み出すことができなくなる虞がある。
【０００９】
この場合、上述したように、ＨＤからＤＶＤ−ＲＡＭ等に情報を記録する際、ＨＤにおいて、ＤＶＤ−ＲＡＭ等に記録した情報は、上書により新たな情報に書き換えられるため、結果としてＨＤ及びＤＶＤ−ＲＡＭ等の光ディスクに記録された両方の情報を消失してしまうことがあった。
【００１０】
本発明は、上記の課題を解決するためになされたものであり、第１情報記録媒体に記録された情報を消失する前に、第１情報記録媒体から第２情報記録媒体に情報を記録することができ情報の消失を防ぐことができる情報記録装置を提供することを目的とする。
【００１１】
【課題を解決するための手段】
上記の課題を解決するために、本願の請求項１記載の発明は、第１情報記録媒体を備え且つ第１情報記録媒体に情報を記録する第１記録部と第２情報記録媒体を備え且つ第２情報記録媒体に情報を記録する第２記録部と第１情報記録媒体に記録された情報を第２情報記録媒体に記録するように前記第１記録部及び前記第２記録部を制御する制御部とを備えた情報記録装置において、第１情報記録媒体から第１欠陥セクタ数及び第２情報記録媒体から第２欠陥セクタ数を検出する検出部と、前記検出部が検出した第１欠陥セクタ数及び第２欠陥セクタ数を記憶する記憶部を備え、前記制御部は、前記検出部を制御し予め定められた時間毎に第１情報記録媒体から第１欠陥セクタ数を検出させ、前記検出部が新たに検出した第１欠陥セクタ数と前記記憶部に記憶されている第１欠陥セクタ数を比較し前記検出部が検出した第１欠陥セクタ数と前記記憶部に記憶されている第１欠陥セクタ数との差が予め定められた値以上の場合、前記制御部は、前記検出部を制御し第２情報記録媒体から第２欠陥セクタ数を検出させ、更に前記検出部が新たに検出した第２欠陥セクタ数と前記記憶部に記憶されている第２欠陥セクタ数を比較し前記検出部が検出した第２欠陥セクタ数と前記記憶部に記憶されている第２欠陥セクタ数との差が予め定められた値未満の場合、前記第１記録部及び前記第２記録部を制御し第１情報記録媒体に記録された情報を第２情報記録媒体に記録することを特徴とする。
【００１２】
また、本願の請求項２記載の発明は、請求項１記載の情報記録装置において、前記検出部が新たに検出した第１欠陥セクタ数又は第２欠陥セクタ数と前記記憶部に記憶されている第１欠陥セクタ数又は第２欠陥セクタ数との差がそれぞれ予め定められた値以上のとき、前記検出部が新たに検出した第１欠陥セクタ数又は第２欠陥セクタ数が予め定められた値以上であることを表示する表示部を備えることを特徴とする。
【００１３】
また、本願の請求項３記載の発明は、第１情報記録媒体を備え且つ第１情報記録媒体に情報を記録する第１記録部と第２情報記録媒体を備え且つ第２情報記録媒体に情報を記録する第２記録部と第１情報記録媒体に記録された情報を第２情報記録媒体に記録するように前記第１記録部及び前記第２記録部を制御する制御部とを備えた情報記録装置において、第２情報記録媒体から第２欠陥セクタ数を検出する検出部と、前記検出部が検出した第２欠陥セクタ数を記憶する記憶部と、前記記録部が第１情報記録媒体に記録された情報を第２情報記録媒体に記録する制御を開始する時刻を設定する設定部を備え、前記制御部は、前記設定部が設定した時刻になったとき、前記検出部を制御し第２情報記録媒体から第２欠陥セクタ数を検出させ、前記検出部が新たに検出した第２欠陥セクタ数と前記記憶部に記憶されている第２欠陥セクタ数を比較し前記検出部が検出した第２欠陥セクタ数と前記記憶部に記憶されている第２欠陥セクタ数との差が予め定められた値未満の場合、前記第１記録部及び前記第２記録部を制御し第１情報記録媒体に記録された情報を第２情報記録媒体に記録することを特徴とする。
【００１４】
また、本願の請求項４記載の発明は、第１情報記録媒体を備え且つ第１情報記録媒体に情報を記録する第１記録部と第２情報記録媒体を備え且つ第２情報記録媒体に情報を記録する第２記録部と、第１情報記録媒体に記録された情報を第２情報記録媒体に記録するように前記第１記録部及び前記第２記録部を制御する制御部とを備えた情報記録装置において、第２情報記録媒体から第２欠陥セクタ数を検出する検出部と、前記検出部が検出した第２欠陥セクタ数を記憶する記憶部と、前記記録部が第１情報記録媒体に記録された情報を第２情報記録媒体に記録する制御を開始する時刻を設定する設定部を備え、前記制御部は、前記設定部が設定した時刻になったとき、前記検出部を制御し第２情報記録媒体から第２欠陥セクタ数を検出させ、前記検出部が新たに検出した第２欠陥セクタ数と前記記憶部に記憶されている第２欠陥セクタ数を比較し前記検出部が検出した第２欠陥セクタ数と前記記憶部に記憶されている第２欠陥セクタ数との差が予め定められた値以上の場合、前記第１記録部及び前記第２記録部を制御し第１情報記録媒体から第２情報記録媒体への情報の記録を中止することを特徴とする。
【００１５】
また、本願の請求項５記載の発明は、請求項４に記載の情報記録装置において、前記検出部が新たに検出した第２欠陥セクタ数と前記記憶部に記憶されている第２欠陥セクタ数との差が予め定められた値以上のとき、前記検出部が新たに検出した第２欠陥セクタ数が予め定められた値以上であることを表示する表示部を備えることを特徴とする。
【００１６】
【発明の実施の形態】
以下、本発明の実施の形態を図面に基づいて説明する。
図１は、本発明の情報記録装置の一実施例のブロック図である。図１において、１は入力部、２は第１記録部、３は第２記録部、４は制御部、５は表示部、６は操作部、７は出力部、８は記憶部、９は検出部を示す。
【００１７】
入力部１は、入力端子であり、入力端子と接続された外部の機器から音声信号等の情報が入力される。また、出力部７は、出力端子であり、出力端子と接続されたスピーカ等から音声信号等の情報が出力される。入力部１から入力された情報は、第１記録部２に入力される。操作部６から、記録開始の指示が入力されると、制御部４は、入力部１から入力される情報を第１記録部２（例えば、ＨＤＤ）が備える第１情報記録媒体（例えば、ＨＤ）に記録するよう制御する。
【００１８】
第１記録部２は、制御部４の指示により入力部１から入力した情報を第１情報記録媒体に記録する。また、第１記録部２は、再生機能を有し制御部４の指示により第１情報記録媒体に記録された情報を再生する。再生された情報は、出力部７から出力される。
【００１９】
第２記録部３は、制御部４の指示により、例えば、ＤＶＤ−ＲＡＭ等の書換可能な光ディスクである第２情報記録媒体に第１情報記録媒体に記録された情報を記録する。また、第２記録部３は、再生機能を有し制御部４の指示により第２情報記録媒体に記録された情報を再生する。再生された情報は、出力部７から出力される。
【００２０】
制御部４は、欠陥情報読出し命令（Ｒｅａｄ　Ｄｅｆｅｃｔ　Ｄａｔａコマンド）を実行し、第１情報記録媒体から第１欠陥セクタ数を検出する検出部９を備えている。検出部９は、第１欠陥セクタ数を第１情報記録媒体に記録されている欠陥リストから検出する。同様に、検出部９は、第２情報記録媒体から第２欠陥セクタ数を検出する。検出部９は、第２欠陥セクタ数を第２情報記録媒体に記録されている欠陥リストから検出する。
【００２１】
制御部４は、予め定められた時間毎（例えば、１時間毎）に第１情報記録媒体から第１欠陥セクタ数を検出するよう検出部９を制御する。また、制御部４は、後述する操作部６の設定部より設定された記録開始時刻になると、第２情報記録媒体から第２欠陥セクタ数を検出するよう検出部９を制御する。検出部９が検出した第１情報記録媒体の第１欠陥セクタ数及び第２情報記録媒体の第２欠陥セクタ数は、制御部４が内蔵する記憶部８に記憶される。
【００２２】
この記憶部８には、検出部９が前回検出した第１欠陥セクタ数及び第２欠陥セクタ数が記憶されている。記憶部８に記憶された第１欠陥セクタ数又は第２欠陥セクタ数は、第１欠陥セクタ数又は第２欠陥セクタ数が記憶部８に入力される毎に、新たに入力された第１欠陥セクタ数又は第２欠陥セクタ数に更新される。
【００２３】
表示部５は、検出部９が新たに検出した第１情報記録媒体の第１欠陥セクタ数と記憶部８に記憶されている検出部９が前回検出した第１欠陥セクタ数の差の値が予め定められた値以上であることを示す警告表示、検出部９が新たに検出した第２情報記録媒体の第２欠陥セクタ数と記憶部８に記憶されている検出部９が前回検出した第２欠陥セクタ数との差の値が予め定められた値以上であることを示す警告表示、現在時刻、記録開始時刻等の表示を行う。
【００２４】
操作部６は、第１記録部２に対して操作指示する、第１記録開始ボタン、第１再生ボタン、第１停止ボタンと、第２記録部に対して操作指示する、第２記録開始ボタン、第２再生ボタン、第２停止ボタンと、第１情報記録媒体に記録された情報を第２情報記録媒体に記録する記録開始ボタン、記録停止ボタン、記録を開始する時刻を設定する設定部を備えている。
【００２５】
図２は、本実施例の情報記録装置の記録動作を説明するフローチャートである。
【００２６】
図２において、ステップ１は、操作部６の設定部により設定された記録開始時刻になったか否かを制御部４が判定するステップである。記録開始時刻になった場合はステップ５に進む。記録開始時刻になっていない場合はステップ２に進む。
【００２７】
ステップ２は、操作部６の記録開始ボタンが押されたか否かを制御部４が判定するステップである。記録開始ボタンが押された場合はステップ５に進む。記録開始ボタンが押されない場合はステップ３に進む。
【００２８】
ステップ３は、検出部９が検出した第１欠陥セクタ数と記憶部８に記憶されている前回検出した第１欠陥セクタ数の差（検出部９が検出した第１欠陥セクタ数−前回検出した第１欠陥セクタ数）の値が予め定められた値以上か否かを制御部４が判定するステップである。制御部４は、予め定められた時間毎（例えば、１時間毎）に、第１情報記録媒体から第１欠陥セクタ数を検出するよう検出部９を制御する。制御部４が内蔵する記憶部８には、検出部９が前回検出した第１欠陥セクタ数が記憶されている。
【００２９】
ここで、本実施例では、第１情報記録媒体の第１欠陥セクタ数が１増加する毎に、第１情報記録媒体に記録された情報を第２情報記録媒体に記録するようにするために、予め定められた値を１として説明する。したがって、制御部４は、検出部９が新たに検出した第１欠陥セクタ数と記憶部８に記憶されている検出部９が前回検出した第１欠陥セクタ数を比較して、検出部９が新たに検出した第１欠陥セクタ数と記憶部８に記憶されている前回取得した第１欠陥セクタ数の差の値が１以上か否かを判定する。ここで、第１情報記録媒体から初めて、第１欠陥セクタ数を検出するとき、制御部４は、前回検出した第１欠陥セクタ数を０として、検出部９が新たに検出した第１欠陥セクタ数と比較する。
【００３０】
ステップ３において、検出部９が新たに検出した第１欠陥セクタ数と記憶部８に記憶されている前回取得した第１欠陥セクタ数の差の値が予め定められた値以上の場合はステップ４に進む。検出部９が新たに検出した第１欠陥セクタ数と記憶部８に記憶されている前回取得した第１欠陥セクタ数の差の値が予め定められた値以上でない場合はステップ１に進む。
【００３１】
ステップ４は、検出部９が新たに検出した第１欠陥セクタ数と記憶部８に記憶されている前回取得した第１欠陥セクタ数の差の値が予め定められた値以上であることを表示部７に警告表示する制御を制御部４がするステップである。例えば、表示部に「欠陥セクタ数増加」と表示する。
【００３２】
ステップ５は、検出部９が検出した第２欠陥セクタ数と記憶部８に記憶された前回検出した第２欠陥セクタ数の差（検出部９が検出した第２欠陥セクタ数−前回検出した第２欠陥セクタ数）の値が予め定められた値以上か否かを制御部４が判定するステップである。制御部４が内蔵する記憶部８には、検出部９が前回検出した第２欠陥セクタ数が記憶されている。この予め定められた値をステップ３と同様に１とし、制御部４は、検出部９が新たに検出した第２欠陥セクタ数と記憶部８に記憶されている検出部９が前回検出した第２欠陥セクタ数を比較して、検出部９が新たに検出した第２欠陥セクタ数と記憶部８に記憶されている前回取得した第２欠陥セクタ数の差の値が１以上か否かを判定する。ここで、第２情報記録媒体から初めて、第２欠陥セクタ数を検出するとき、制御部４は、前回検出した第２欠陥セクタ数を０として、検出部９が新たに検出した第２欠陥セクタ数と比較する。
【００３３】
ステップ５において、検出部９が新たに検出した第２欠陥セクタ数と記憶部８に記憶されている前回取得した第２欠陥セクタ数の差の値が予め定められた値以上の場合はステップ７に進む。検出部９が新たに検出した第２欠陥セクタ数と記憶部８に記憶された前回取得した第２欠陥セクタ数の差の値が予め定められた値以上でない場合はステップ６に進む。
【００３４】
ステップ６は、制御部４が第１情報記録媒体に記録された情報を第２情報記録媒体に記録する制御をするステップである。制御部４は、第１情報記録媒体に記録された情報を第２情報記録媒体に記録するために、第１記録部２及び第２記録部を制御する。
【００３５】
ステップ７は、制御部４が第１情報記録媒体に記録された情報を第２情報記録媒体に記録する動作を中止する制御をするステップである。
【００３６】
ステップ８は、検出部９が新たに検出した第２欠陥セクタ数と記憶部８に記憶されている前回取得した第２欠陥セクタ数の差の値が予め定められた値以上であることを表示部７に警告表示する制御を制御部４がするステップである。例えば、表示部に「要ディスク交換」と表示することにより、使用者に第２情報記録媒体の交換を促す。
【００３７】
ステップ９は、第２情報記録媒体が交換されたか否かを制御部４が判定するステップである。第２情報記録媒体が交換された場合はステップ６に進む。第２情報記録媒体が交換されていない場合はステップ８に進む。
【００３８】
本発明の一実施例である情報記録装置は、検出部９が第１情報記録媒体の第１欠陥セクタ数を予め定められた時間毎に検出し、新たに検出した第１欠陥セクタ数と記憶部８に記憶されている検出部９が前回検出した第１欠陥セクタ数を比較し、検出部９が新たに検出した第１欠陥セクタ数と記憶部８に記憶されている前回取得した第１欠陥セクタ数の差の値が予め定められた値以上の場合、第２情報記録媒体の第２欠陥セクタ数を検出する。そして、本実施例の情報記録装置は、検出部９が新たに検出した第２欠陥セクタ数と記憶部８に記憶されている検出部９が前回検出した第２欠陥セクタ数を比較し、検出部９が新たに検出した第２欠陥セクタ数と記憶部８に記憶されている前回取得した第２欠陥セクタ数の差の値が予め定められた値未満の場合、第１情報記録媒体に記録された音声信号等の情報を第２情報記録媒体に記録する。また、本実施例の情報記録装置は、検出部９が新たに検出した第２欠陥セクタ数と記憶部８に記憶された検出部９が前回検出した第２欠陥セクタ数を比較し、検出部９が新たに検出した第２欠陥セクタ数と記憶部８に記憶されている前回取得した第２欠陥セクタ数の差の値が予め定められた値以上の場合、記録動作を中止し表示部５に第２情報記録媒体の交換を促す表示をする。このため、第１情報記録媒体から検出部９が新たに検出した第１欠陥セクタ数と記憶部８に記憶されている前回取得した第１欠陥セクタ数の差の値が予め定められた値以上であると判定する毎に、第１情報記録媒体に記録された情報を第２情報記録媒体に記録するため、第１情報記録媒体に発生した傷等により、第１情報記録媒体に記録された情報を読み出すことができなくなる前に、情報を第２情報記録媒体に記録することができる。
【００３９】
また、本実施例の情報記録装置は、設定された記録開始時刻になると、検出部９が第２情報記録媒体の第２欠陥セクタ数を検出し、新たに検出した第２欠陥セクタ数と記憶部８に記憶されている検出部９が前回検出した第２欠陥セクタ数と比較し、検出部９が新たに検出した第２欠陥セクタ数と記憶部８に記憶されている前回取得した第２欠陥セクタ数の差の値が予め定められた値未満の場合、第１情報記録媒体に記録された音声信号等の情報を第２情報記録媒体に記録する。また、本実施例の情報記録装置は、検出部９が新たに検出した第２欠陥セクタ数と記憶部８に記憶されている検出部９が前回検出した第２欠陥セクタ数と比較し、検出部９が新たに検出した第１欠陥セクタ数と記憶部８に記憶されている前回取得した第１欠陥セクタ数の差の値が予め定められた値以上の場合、記録動作を中止し表示部５に第２情報記録媒体の交換を促す表示をする。そして、第２情報記録媒体が交換されると、第１情報記録媒体に記録された音声信号等の情報を第２情報記録媒体に記録する。このため、記録した情報を読み出すことができなくなる虞のない第２情報記録媒体へ第１情報記録媒体に記録された音声信号等の情報を記録することができる。
【００４０】
上述の実施形態では、予め定められた値を１として説明したが、本発明の情報記録装置の設置環境、使用する情報記録媒体の種類に応じて、操作部６によりこの予め定められた値を情報記録媒体毎に、変えて設定することができる。
【００４１】
なお、上述の実施形態では、第１情報記録媒体に記録された情報を第２情報記録媒体に記録することについて説明したが、第２情報記録媒体に記録された情報を第１情報記録媒体に記録するようにしてもよい。
【００４２】
【発明の効果】
本発明の情報記録装置によれば、第１情報記録媒体に記録された情報を消失する前に、第１情報記録媒体から第２情報記録媒体に情報を記録することができ情報の消失を防ぐことができる情報記録装置を提供することができる。
【図面の簡単な説明】
【図１】本実施例の情報記録装置の構成を示すブロック図。
【図２】本実施例の情報記録装置の記録動作を説明するフローチャート。
【符号の説明】
１　　入力部
２　　第１記録部
３　　第２記録部
４　　制御部
５　　表示部
６　　操作部
７　　出力部
８　　記憶部
９　　検出部
【図１】
2004071122.tif 000003
【図２】
2004071122.tif 000004